(57)【要約】【課題】複数のガス機器において生じる種々の異常を各ガス機器ごとに個別に検知することができるガス機器の異常検知システムを提供する。【解決手段】個別ガス流量把握手段２３は、機器作動状態把握手段２２により把握される各ガス機器５，７，９，１１の作動状態の変化と、それに応じたガスメータ２による燃料ガスの検出流量の変化から、各ガス機器への燃料ガスの流量を把握する。異常検知手段２５は、個別ガス流量把握手段２３により把握される各ガス機器への燃料ガスの供給流量を監視し、燃料ガスの供給流量が所定流量を超えたガス機器を異常状態にあると検知する。【選択図】  図１
2004278914.tif 000002
【特許請求の範囲】
【請求項１】
ガス供給管を介して複数のガス機器に供給される燃料ガスの流量を、各ガス機器ごとに個別に把握する個別ガス流量把握手段と、
該個別ガス流量把握手段により把握される各ガス機器への燃料ガスの供給流量を監視し、燃料ガスの供給流量が所定流量を超えたガス機器を異常状態にあると検知する異常検知手段とを備えたことを特徴とするガス機器の異常検知システム。
【請求項２】
ガス供給管を介して複数のガス機器に供給される燃料ガスの流量を、各ガス機器ごとに個別に把握する個別ガス流量把握手段と、
該個別ガス流量把握手段により把握される各ガス機器への燃料ガスの供給流量を監視し、一定流量で燃料ガスが供給された状態が所定時間以上継続したガス機器を異常状態にあると検知する異常検知手段とを備えたことを特徴とするガス機器の異常検知システム。
【請求項３】
ガス供給管を介して複数のガス機器に供給される燃料ガスの流量を、各ガス機器ごとに個別に把握する個別ガス流量把握手段と、
前記複数のガス機器と通信可能であって、各ガス機器から送信される各ガス機器の運転態様に応じた燃料ガスの供給流量の設定値を受信する個別ガス設定値受信手段と、
前記個別ガス流量把握手段による燃料ガスの供給流量の把握値と、前記個別ガス設定値受信手段により受信された燃料ガスの供給流量の設定値との乖離度合をを監視し、該乖離度合が所定レベル以上となったガス機器を異常状態にあると検知する異常検知手段を備えたことを特徴とするガス機器の異常検知システム。
【請求項４】
前記複数のガス機器は、各ガス機器ごとに設けられて燃料ガスの供給と遮断とを切り換えるガス開閉弁を介して前記ガス供給管に接続され、
前記異常検知手段により異常が検知されたガス機器に設けられた前記ガス開閉弁を閉弁するガス開閉弁閉弁手段を備えたことを特徴とする請求項１から請求項３のうちいずれか１項記載のガス機器の異常検知システム。
【請求項５】
前記ガス供給管への燃料ガスの供給と遮断とを切り換えるガス元弁と、
前記ガス開閉弁閉弁手段により前記ガス開閉弁を閉弁した後も、前記異常検知手段により該ガス開閉弁が閉弁されたガス機器の異常が検知されるときに、前記ガス元弁を閉弁するガス元弁閉弁手段とを備えたことを特徴とする請求項４記載のガス機器の異常検知システム。
【請求項６】
前記ガス供給管に供給される燃料ガスの流量を検出するガス流量検出手段と、前記複数のガス機器と通信可能であって、各ガス機器から受信した信号に基づいて各ガス機器の作動状態を把握する機器作動状態把握手段とを備え、
前記個別ガス流量把握手段は、前記機器作動状態把握手段により把握される各ガス機器の作動状態の変化とそれに応じた前記ガス流量検出手段による燃料ガスの検出流量の変化とに基づいて、各ガス機器への燃料ガスの供給流量を把握することを特徴とする請求項１から請求項５のうちいずれか１項記載のガス機器の異常検知システム。
【発明の詳細な説明】
【０００１】
【発明の属する技術分野】
本発明は、複数のガス機器の異常を個別に検知するガス機器の異常検知システムに関する。
【０００２】
【従来の技術】
従来より、図６に示したように、ガス供給管５０を介してこんろ５１、ファンヒータ５２、給湯器５３等のガス機器に燃料ガスを供給するガス供給システムにおいては、ガス供給管５０に対する燃料ガスの供給量を計測するガスメータ５４が備えられている。
【０００３】
そして、ガス供給管５０には、ガスメータ５４から出力される制御信号により開閉されるガス元弁５５が備えられ、ガス供給管５０に対する燃料ガスの供給圧の低下等の異常が検知されたときに、ガスメータ５４はガス元弁５５を閉弁してガス供給管５０への燃料ガスの供給を遮断するようにしていた（特許文献１）。
【０００４】
また、各ガス機器（こんろ５１，ファンヒータ５２，給湯器５３）には、ガス供給管５０からの燃料ガスの供給と遮断を切り換える開閉弁（こんろ開閉弁６０、ファンヒータ開閉弁６１、給湯器開閉弁６２）と、バーナ（図示しない）の失火を検知する失火検知手段（図示しない）とが備えられており、バーナの失火が検知されたときに、該開閉弁を閉弁して燃料ガスの供給を遮断するようにしていた。
【０００５】
しかし、各ガス機器に生じ得る異常としては、バーナの失火以外にも種々の要因が考えられ、これらの要因による異常も検知して、ガス供給システムにおける異常検知能力を高めることが望まれている。
【０００６】
【特許文献１】
特開平４−５０７２７号公報
【０００７】
【発明が解決しようとする課題】
本発明は上記背景を鑑みてなされたものであり、複数のガス機器において生じる種々の異常を各ガス機器ごとに個別に検知することができるガス機器の異常検知システムを提供することを目的とする。
【０００８】
【課題を解決するための手段】
本発明は上記目的を達成するためになされたものであり、本発明の第１の態様は、ガス供給管を介して複数のガス機器に供給される燃料ガスの流量を、各ガス機器ごとに個別に把握する個別ガス流量把握手段と、該個別ガス流量把握手段により把握される各ガス機器への燃料ガスの供給流量を監視し、燃料ガスの供給流量が各ガス機器別に設定された所定流量を超えたガス機器を異常状態にあると検知する異常検知手段とを備えたことを特徴とする。
【０００９】
かかる本発明によれば、異常運転や燃料ガスの供給系統の不良等により、燃料ガスの供給流量が増加したガス機器を、前記異常検知手段により異常状態にあるとして検知することができる。
【００１０】
また、本発明の第２の態様は、ガス供給管を介して複数のガス機器に供給される燃料ガスの流量を、各ガス機器ごとに個別に把握する個別ガス流量把握手段と、該個別ガス流量把握手段により把握される各ガス機器への燃料ガスの供給流量を監視し、一定流量で燃料ガスが供給された状態が所定時間以上継続したガス機器を異常状態にあると検知する異常検知手段とを備えたことを特徴とする。
【００１１】
かかる本発明によれば、ガス機器の故障や使用者がガス機器の運転を停止する操作を忘れることにより、一定流量で燃料ガスが供給された状態で長時間運転が継続されているガス機器を、前記異常検知手段により異常状態にあると検知することができる。
【００１２】
また、本発明の第３の態様は、ガス供給管を介して複数のガス機器に供給される燃料ガスの流量を、各ガス機器ごとに個別に把握する個別ガス流量把握手段と、前記複数のガス機器と通信可能であって、各ガス機器から送信される各ガス機器の運転態様に応じた燃料ガスの供給流量の設定値を受信する個別ガス設定値受信手段と、前記個別ガス流量把握手段による燃料ガスの供給流量の把握値と、前記個別ガス設定値受信手段により受信された燃料ガスの供給流量の設定値との乖離度合を監視し、該乖離度合が所定レベル以上となったガス機器を異常状態にあると検知する異常検知手段を備えたことを特徴とする。
【００１３】
かかる本発明によれば、ガス機器側で設定された燃料ガスの供給流量と、前記個別ガス流量把握手段により把握された燃料ガスの供給流量との乖離度合が所定レベル以上となったときは、該ガス機器への燃料ガスの供給が正常に行われていないと考えられる。そこで、前記異常検知手段は、かかる状態にあるガス機器を、異常状態にあると検知することができる。
【００１４】
また、前記第１の態様から前記第３の態様において、前記複数のガス機器は、各ガス機器ごとに設けられて燃料ガスの供給と遮断とを切り換えるガス開閉弁を介して前記ガス供給管に接続され、前記異常検知手段により異常が検知されたガス機器に設けられた前記ガス開閉弁を閉弁するガス開閉弁閉弁手段を備えたことを特徴とする。
【００１５】
かかる本発明によれば、前記異常検知手段により異常が検知されたガス機器の前記開閉弁を閉弁することにより、異常状態にあるガス機器への燃料ガスの供給のみを遮断して、他のガス機器の使用を可能とすることができる。
【００１６】
また、前記ガス供給管への燃料ガスの供給と遮断とを切り換えるガス元弁と、前記ガス開閉弁閉弁手段により前記ガス開閉弁を閉弁した後も、前記異常検知手段により該ガス開閉弁が閉弁されたガス機器の異常が検知されるときには、前記ガス元弁を閉弁するガス元弁閉弁手段とを備えたことを特徴とする。
【００１７】
かかる本発明によれば、前記ガス開閉弁の作動不良等により、異常が検知されたガス機器に対する燃料ガスの供給を遮断することができない場合に、前記ガス元弁閉弁手段により前記ガス元弁を閉弁することによって、異常が検知されたガス機器への燃料ガスの供給を確実に遮断することができる。
【００１８】
また、前記ガス供給管に供給される燃料ガスの流量を検出するガス流量検出手段と、前記複数のガス機器と通信可能であって、各ガス機器から受信した信号に基づいて各ガス機器の作動状態を把握する機器作動状態把握手段とを備え、前記個別ガス流量把握手段は、前記機器作動状態把握手段により把握される各ガス機器の作動状態の変化とそれに応じた前記ガス流量検出手段による燃料ガスの検出流量の変化とに基づいて、各ガス機器への燃料ガスの供給流量を把握することを特徴とする。
【００１９】
かかる本発明によれば、例えば、前記機器作動状態把握手段により前記複数のガス機器のうちのいずれかの運転開始が把握されたときに、前記ガス流量検出手段により検出される前記ガス供給管への燃料ガスの供給流量がΔＦだけ増加したときには、前記個別ガス流量把握手段は、該ΔＦを運転を開始したガス機器に供給される燃料ガスの流量として把握することができる。
【００２０】
そして、本発明によれば、前記ガス流量検出手段を１つ設けることによって、各ガス機器に供給される燃料ガスの流量を個別に把握することができる。そのため、各ガス機器に燃料ガスの供給流量を検出するための専用のガス流量検出手段を個別に設ける必要がなく、低コストで前記個別ガス流量把握手段を構成することができる。
【００２１】
【発明の実施の形態】
本発明の実施の形態について、図１〜図６を参照して説明する。図１は本発明のガス機器の異常検知システムの全体構成図、図２は本発明の第１の実施の形態における燃料ガスの供給流量の異常検知に使用する所定流量の設定態様を示したグラフ、図３は本発明の第１の実施の形態における異常検知処理のフローチャート、図４は本発明の第２の実施の形態における異常検知処理のフローチャート、図５は本発明の第３の実施の形態における異常検知処理のフローチャートである。
【００２２】
先ず、図１〜図３を参照して、本発明の第１の実施の形態について説明する。
図１において、ガス供給管１には、ガス供給管１に供給される燃料ガスの流量を検出するガスメータ２（本発明のガス流量検出手段に相当する）と、ガスメータ２から出力される制御信号により作動してガス供給管１を開閉するガス元弁３とが設けられている。また、ガス供給管１には、こんろ開閉弁４を介してこんろ５が接続され、ファンヒータ開閉弁６を介してファンヒータ７が接続され、給湯器開閉弁８を介して給湯器９が接続され、床暖房機開閉弁１０を介して床暖房機１１が接続されている。
【００２３】
ここで、こんろ開閉弁４はこんろ５から出力される制御信号により開閉される。同様に、ファンヒータ開閉弁６はファンヒータ７から出力される制御信号により開閉され、給湯器開閉弁８は給湯器９から出力される制御信号により開閉され、床暖房機開閉弁１０は床暖房機１１から出力される制御信号により開閉される。
【００２４】
また、ホームサーバ２０は、ＣＰＵ、メモリ等により構成された電子ユニットであり、各ガス機器（こんろ５，ファンヒータ７，給湯器９，床暖房機１１）との間で通信を行なうための通信インターフェース２１、各ガス機器の作動状態を把握する機器作動状態把握手段２２、各ガス機器に供給される燃料ガスの流量を個別に把握する個別ガス流量把握手段２３、各ガス機器において運転態様に応じて設定される燃料ガスの供給流量を把握する個別ガス設定値受信手段２４、各ガス機器に生じる異常を個別に検知する異常検知手段２５、異常が生じたガス機器の開閉弁（こんろ開閉弁４，ファンヒータ開閉弁６，給湯器開閉弁８，床暖房機開閉弁１０）を閉弁するガス開閉弁閉弁手段２６、異常が生じたガス機器の開閉弁を閉弁しても該ガス機器への燃料ガスの供給流量が停止しないときにガス元弁３を閉弁するガス元弁閉弁手段２７とを備えている。
【００２５】
そして、ホームサーバ２０は、通信ケーブル３０，３１，３２，３３，３４を介して、ガスメータ２，床暖房機１１，給湯器９，ファンヒータ７，こんろ５とそれぞれ通信可能に接続されている。さらに、ホームサーバ２０は、ネットワーク４０を介してガス会社の端末装置４５と通信可能に接続されている。
【００２６】
機器作動状態把握手段２２は、通信インターフェース２１を介して各ガス機器（こんろ５，ファンヒータ７，給湯器９，床暖房機１１）から受信した信号により、各ガス機器の作動状態を把握する。
【００２７】
個別ガス流量把握手段２３は、ガスメータ２から受信した検出信号からガス供給管１への燃料ガスの供給流量を検知する。そして、機器作動状態把握手段２２により把握される各ガス機器の作動状態の変化と、それに応じたガスメータ２による燃料ガスの検出流量の変化により、個別ガス流量把握手段２３は、各ガス機器に供給される燃料ガスの流量を個別に把握する。
【００２８】
具体的には、例えば、機器作動状態把握手段２２によりファンヒータ７の運転開始が把握されたときに、ガスメータ２による燃料ガスの検出流量がΔＦだけ増加したときには、個別ガス流量把握手段２３は、該ΔＦをファンヒータ７へのへの燃料ガスの供給流量として把握する。
【００２９】
また、個別ガス設定値受信手段２４は、各ガス機器（こんろ５，ファンヒータ７，給湯器９，床暖房機１１）から、各ガス機器において運転態様に応じて設定される燃料ガスの供給流量の設定値のデータを受信する。例えば、給湯器９においては、目標給湯温度での給湯を行うために必要な燃料ガスの供給流量が設定されるが、給湯器９は該供給流量の設定値のデータをホームサーバ２０に送信する。そして、個別ガス設定値受信手段２４は、受信した該データから給湯器９において設定されている燃料ガスの供給流量を把握する。
【００３０】
また、異常検知手段２５は、個別ガス流量把握手段２３により把握される各ガス機器への燃料ガスの供給流量に基づいて、各ガス機器の異常を検知する。以下、図２に示したフローチャートに従って、ホームサーバ２０による各ガス機器の異常検知処理について説明する。
【００３１】
異常検知手段２５は、図２を示したフローチャートを各ガス機器（こんろ５，ファンヒータ７，給湯器９，床暖房機１１）ごとに実行して、各ガス機器の異常の有無を監視し、異常を検知したときは該異常に対処する措置を実行する。
【００３２】
例えば、ファンヒータ７に対する異常の有無の監視と、異常に対する措置の実行手順について説明すると、図２のＳＴＥＰ１でファンヒータ７の運転が開始されると、ＳＴＥＰ２に進む。そして、異常検知手段２５は、ＳＴＥＰ２〜ＳＴＥＰ３及びＳＴＥＰ１５を実行してファンヒータ７の異常の有無を監視する。
【００３３】
異常検知手段２５は、ＳＴＥＰ２で個別ガス流量把握手段２３によりファンヒータ７への燃料ガスの供給流量を把握する。そして、次のＳＴＥＰ３で、異常検知手段２５は、ファンヒータ７への燃料ガスの供給流量が所定流量を超えているか否かを判断する。ここで、該所定流量は、図３に示したように、各ガス機器に対して個別に設定されている。
【００３４】
図３中、Ａ１はファンヒータ７の正常運転時における燃料ガスの供給流量の変動範囲であり、ファンヒータ７に対する所定流量は、該変動範囲Ａ１を超えたａ１に設定されている。同様に、Ｂ１は給湯器９の正常運転時における燃料ガスの供給流量の変動範囲であり、給湯器９に対する所定流量は該変動範囲Ｂ１を超えたｂ１に設定されている。また、Ｃ１は床暖房機１１の正常運転時における燃料ガスの供給流量の変動範囲であり、床暖房機１１に対する所定流量は該変動範囲Ｃ１を超えたｃ１に設定されている。また、Ｄ１はこんろ５の正常運転時における燃料ガスの供給流量の変動範囲であり、こんろ５に対する所定流量は該変動範囲Ｄ１を超えたｄ１に設定されている。
【００３５】
なお、図３中、ａｓ，ｂｓ，ｃｓ，ｄｓは、それぞれ、ファンヒータ７，給湯器９，床暖房機１１，こんろ５における通常安定時の燃料ガスの供給流量を示している。
【００３６】
ＳＴＥＰ３で、ファンヒータ７への燃料ガスの供給流量が所定流量（ｄ１）を超えたときはＳＴＥＰ４に進む。ＳＴＥＰ４はガス開閉弁閉弁手段２６による処理であり、ガス開閉弁閉弁手段２６はファンヒータ７に対して「運転停止信号」を送信する。該「運転停止信号」を受信したファンヒータ７は、ファンヒータ開閉弁６を閉弁して燃焼運転を停止すると共に、ブザー及びランプ（図示しない）により異常の報知を行う。
【００３７】
これにより、異常が生じたファンヒータ７の運転のみが停止され、他のガス機器（こんろ５，給湯器９，床暖房機１１）は運転可能な状態に維持される。また、ホームサーバ２０も、次のＳＴＥＰ５で、ブザー及びディスプレイ（図示しない）により、ファンヒータ７の異常を報知する。
【００３８】
なお、ＳＴＥＰ１５で機器作動状態把握手段２２によりファンヒータ７の運転停止が把握されたときは、ＳＴＥＰ１に戻る。
【００３９】
次のＳＴＥＰ６及びＳＴＥＰ７は、ガス元弁閉弁手段２７による処理であり、ガス元弁閉弁手段２７は、ＳＴＥＰ６で、ファンヒータ開閉弁６の閉弁によりファンヒータ７への燃料ガスの供給が停止したか否かを確認する。具体的には、個別ガス流量把握手段２３により把握されるファンヒータ７への燃料ガスの供給流量がゼロになったか否かを確認し、ゼロとなったときはＳＴＥＰ１に戻る。
【００４０】
一方、ＳＴＥＰ６でファンヒータ７への燃料ガスの供給流量がゼロにならなかったとき、すなわち、ファンヒータ７に対して「運転停止信号」を送信したにも拘わらず、ファンヒータ７への燃料ガスの供給が停止しなかったときは、ガス元弁閉弁手段２７は、ＳＴＥＰ７で、ガスメータ２に対して「ガス元弁閉弁信号」を送信する。そして、該「ガス元弁閉弁信号」を受信したガスメータ２は、ガス元弁３を閉弁する。
【００４１】
これにより、例えば、ホームサーバ２０とファンヒータ７間の通信不良や、ファンヒータ開閉弁６の故障等により、ファンヒータ７への燃料ガスの供給を停止することができなくなった場合に、ガス元弁３を閉弁して、異常が生じているファンヒータ７への燃料ガスの供給を遮断することができる。
【００４２】
そして、ファンヒータ７の点検・修理完了後、使用者が、ホームサーバ２０に対して異常復旧操作を行ったときに、ＳＴＥＰ８からＳＴＥＰ９に進んで、ホームサーバ２０は、ガスメータ２に対してガス元弁３の開弁を指示する「ガス元弁開弁信号」を送信する。該「ガス元弁開弁信号」を受信したガスメータ２は、ガス元弁３を開弁し、これにより、ガス供給管１への燃料ガスの供給が再開され、各ガス機器（こんろ５，ファンヒータ７，給湯器９，床暖房機１１）の運転が可能となる。
【００４３】
ホームサーバ２０は、ファンヒータ７と同様に、こんろ５，給湯器９，及び床暖房機１１に対しても図２に示した処理を行い、これにより各ガス機器において生じ得る燃料ガスの過剰供給を伴う異常を検知して、異常が検知されたガス機器への燃料ガスの供給を停止する処理を行う。
【００４４】
なお、本実施の形態では、図２のＳＴＥＰ６〜ＳＴＥＰ９で、各ガス機器（こんろ５，ファンヒータ７，給湯器９，床暖房機１１）への燃料ガスの停止が検知できなかったときに、ガス元弁３を閉弁する処理を行ったが、該処理を行わない場合であっても、本発明の効果を得ることができる。
【００４５】
次に、図１及び図４を参照して、本発明の第２の実施の形態について説明する。なお、本第２の実施の形態におけるガス機器の異常検知システムの構成は、上述した第１の実施の形態における構成と同様であり、異常検知手段２５による異常検知の判断処理のみが相違する。以下、図４に示したフローチャートに従って、本第２の実施の形態におけるホームサーバ２０の処理について説明する。
【００４６】
ホームサーバ２０は、図４に示したフローチャートを各ガス機器（こんろ５，ファンヒータ７，給湯器９，床暖房機１１）ごとに実行して、各ガス機器の異常の有無を監視し、異常を検知したときは該異常に対する措置を実行する。
【００４７】
例えば、こんろ５に対する異常の有無の監視と、異常に対する措置の実行手順について説明すると、図４のＳＴＥＰ２０で機器作動状態把握手段２２によりこんろ５の運転開始が把握されると、ＳＴＥＰ２１に進む。そして、異常検知手段２５は、ＳＴＥＰ２１〜ＳＴＥＰ２４及びＳＴＥＰ３５〜ＳＴＥＰ３７を実行してこんろ５の異常の有無を監視する。
【００４８】
異常検知手段２５は、ＳＴＥＰ２１でタイマをスタートする。なお、該タイマの設定時間は、各ガス機器ごとに個別に設定してもよいし、各ガス機器に共通に設定してもよい。
【００４９】
そして、次のＳＴＥＰ２２で、異常検知手段２５は、個別ガス流量把握手段２３によりこんろ５への燃料ガスの供給流量を把握し、ＳＴＥＰ３５でこんろ５への燃料ガスの供給流量が変動したか否かを確認し、ＳＴＥＰ３７でこんろ５から運転停止を通知する信号を受信したか否かを確認しながら、ＳＴＥＰ２３でタイマがタイムアップするのを待つ。
【００５０】
なお、ＳＴＥＰ３５でこんろ５への燃料ガスの供給流量が変動したときはＳＴＥＰ３６に進み、異常検知手段２５は、タイマを再スタートさせてＳＴＥＰ２２に戻る。また、ＳＴＥＰ３７で機器作動状態把握手段２２によりこんろ５の運転停止が把握されたときは、ＳＴＥＰ２０に戻る。
【００５１】
ＳＴＥＰ２３でタイマがタイムアップしたとき、すなわち、こんろ５への燃料ガスの供給流量が一定の状態でタイマ設定時間が経過したときは、ＳＴＥＰ２４に進む。ＳＴＥＰ２４はガス開閉弁閉弁手段２６による処理であり、ガス開閉弁閉弁手段２６はこんろ５に対して「運転停止信号」を送信する。そして、該「運転停止信号」を受信したこんろ５は、こんろ開閉弁４を閉弁して燃焼運転を停止すると共に、ブザー及びランプ（図示しない）により異常の報知を行う。
【００５２】
これにより、異常が生じたこんろ５の運転のみが停止され、他のガス機器（ファンヒータ７，給湯器９，床暖房機１１）は運転可能な状態に維持される。また、ホームサーバ２０も、次のＳＴＥＰ２５で、ブザー及びディスプレイ（図示しない）により、こんろ５の異常を報知する処理を行う。
【００５３】
次のＳＴＥＰ２６及びＳＴＥＰ２７は、ガス元弁閉弁手段２７による処理であり、ガス元弁閉弁手段２７は、ＳＴＥＰ２６で、こんろ開閉弁４の閉弁によりこんろ５への燃料ガスの供給が停止したか否かを確認する。具体的には、個別ガス流量把握手段２３により把握されるこんろ５への燃料ガスの供給流量がゼロになったか否かを確認し、ゼロとなったときはＳＴＥＰ２０に戻る。
【００５４】
一方、ＳＴＥＰ２６でこんろ５への燃料ガスの供給流量がゼロにならなかったとき、すなわち、こんろ５に対して「運転停止信号」を送信したにも拘わらず、こんろ５への燃料ガスの供給が停止しなかったときは、ガス元弁閉弁手段２７は、ＳＴＥＰ２９でガスメータ２に対して「ガス元弁閉弁信号」を送信する。そして、該「ガス元弁閉弁信号」を受信したガスメータ２は、ガス元弁３を閉弁する。
【００５５】
これにより、例えば、ホームサーバ２０とこんろ５間の通信不良や、こんろ開閉弁４の故障等により、こんろ５への燃料ガスの供給を停止することができなくなった場合に、ガス元弁３を閉弁して、異常が生じているこんろ５への燃料ガスの供給を遮断することができる。
【００５６】
そして、ファンヒータ７の点検・修理を完了した使用者が、ホームサーバ２０に対して異常復旧操作を行ったときに、ＳＴＥＰ２８からＳＴＥＰ２９に進んで、ホームサーバ２０は、ガスメータ２に対して「ガス元弁開弁信号」を送信する。該「ガス元弁開弁信号」を受信したガスメータ２は、ガス元弁３を開弁し、これにより、ガス供給管１への燃料ガスの供給が再開され、各ガス機器（こんろ５，ファンヒータ７，給湯器９，床暖房機１１）の運転が可能となる。
【００５７】
ホームサーバ２０は、こんろ５と同様に、ファンヒータ７，給湯器９，及び床暖房機１１に対しても図４に示した処理を行い、これにより、ガス比例弁等のガス流量調節手段の固着故障や、使用者の運転停止の操作忘れにより各ガス機器が長時間継続して運転されることを防止することができる。
【００５８】
なお、本実施の形態では、図４のＳＴＥＰ２６〜ＳＴＥＰ２９で、各ガス機器（こんろ５，ファンヒータ７，給湯器９，床暖房機１１）への燃料ガスの停止が認識できなかったときに、ガス元弁３を閉弁する処理を行ったが、該処理を行わない場合であっても、本発明の効果を得ることができる。
【００５９】
次に、図１及び図５を参照して、本発明の第３の実施の形態について説明する。なお、本第３の実施の形態におけるガス機器の異常検知システムの構成は、上述した第１の実施の形態における構成と同様であり、異常検知手段２５による異常検知の判断処理のみが相違する。以下、図５に示したフローチャートに従って、本第３の形態におけるホームサーバ２０の処理について説明する。
【００６０】
ホームサーバ２０は、図５に示したフローチャートを各ガス機器（こんろ５，ファンヒータ７，給湯器９，床暖房機１１）ごとに実行して、各ガス機器の異常の有無を監視し、異常を検知したときは該異常に対処する措置を実行する。
【００６１】
例えば、給湯器９に対する異常の有無の監視と、異常に対する措置の実行手順について説明すると、図５のＳＴＥＰ４０で機器作動状態把握手段２２により給湯器９の運転開始が把握されると、ＳＴＥＰ４１に進む。そして、異常検知手段２５は、ＳＴＥＰ４１〜ＳＴＥＰ４３及びＳＴＥＰ５５を実行して給湯器９の異常の有無を監視する。
【００６２】
異常検知手段２５は、ＳＴＥＰ４１で個別ガス流量把握手段２３により給湯器９への燃料ガスの供給流量を把握すると共に、次のＳＴＥＰ４２で給湯器９から送信される給湯器９への燃料ガスの供給流量の設定値を受信する。ここで、給湯器９においては、目標給湯温度や給水温度等応じてバーナ（図示しない）の目標燃焼量が決定され、該目標燃焼量を得るために必要な燃料ガスの供給流量が設定される。
【００６３】
そして、設定された供給燃料で燃料ガスが供給されるように、ガス比例弁等のガス流量調節手段（図示しない）が制御される。そのため、給湯器９が正常に作動していれば、ＳＴＥＰ４１で個別ガス流量把握手段２３により把握される給湯器９への燃料ガスの供給流量の把握値と、ＳＴＥＰ４２で個別ガス設定値受信手段により給湯器９から受信された燃料ガスの供給流量の設定値とは、ほぼ一致する。
【００６４】
しかし、ガス流量調節手段の故障が生じると、燃料ガスの供給流量の把握値と設定値との間の差（本発明の乖離度合に相当する）が生じ、該差は故障の程度が大きくなるにつれてより大きくなる。そこで、異常検知手段２５は、ＳＴＥＰ４３で、給湯器９に供給される燃料ガスの供給流量の把握値と設定値とを比較し、両者の差が所定レベル以上となったときに、給湯器９が異常状態にあると検知してＳＴＥＰ４４に進む。
【００６５】
なお、ＳＴＥＰ４３で燃料ガスの供給流量の把握値と設定値との差が所定レベルよりも小さいときは、ＳＴＥＰ５５に分岐する。そして、機器作動状態把握手段２２により給湯器９の運転停止が把握されたときはＳＴＥＰ４０に戻り、給湯器９が運転継続中であればＳＴＥＰ４１に進む。また、ＳＴＥＰ４３における所定レベルは、各ガス機器ごとに別個に設定してもよいし、各ガス機器に共通に設定してもよい。また、燃料ガスの供給流量の把握値と設定値との乖離度合として、両者の差の他に、両者の比率を用いてもよい。
【００６６】
ＳＴＥＰ４４はガス開閉弁閉弁手段２６による処理であり、ガス開閉弁閉弁手段２６は給湯器９に対して「運転停止信号」を送信する。該「運転停止信号」を受信した給湯器９は、給湯器開閉弁８を閉弁して燃焼運転を停止すると共に、ブザー及びランプ（図示しない）により異常の報知を行う。
【００６７】
これにより、異常が生じた給湯器９のみの運転が停止され、他のガス機器（こんろ５，ファンヒータ７，床暖房機１１）は運転可能な状態に維持される。また、ホームサーバ２０も、次のＳＴＥＰ４５で、ブザー及びディスプレイ（図示しない）により、給湯器５の異常を報知する。
【００６８】
次のＳＴＥＰ４６及びＳＴＥＰ４７は、ガス元弁閉弁手段２７による処理であり、ガス元弁閉弁手段２７は、ＳＴＥＰ４６で、給湯器開閉弁８の閉弁により給湯器９への燃料ガスの供給が停止したか否かを確認する。具体的には、ガス元弁閉弁手段２７は、個別ガス流量把握手段２３により把握される給湯器９への燃料ガスの供給流量がゼロになったか否かを確認し、ゼロとなったときはＳＴＥＰ４０に戻る。
【００６９】
一方、ＳＴＥＰ４６で給湯器９への燃料ガスの供給流量がゼロにならなかったとき、すなわち、給湯器９に対して「運転停止信号」を送信したにも拘わらず、給湯器９への燃料ガスの供給が停止しなかったときは、ガス元弁閉弁手段２７は、ＳＴＥＰ４７で、ガスメータ２に対して「ガス元弁閉弁信号」を送信する。そして、該「ガス元弁閉弁信号」を受信したガスメータ２は、ガス元弁３を閉弁する。
【００７０】
これにより、例えば、ホームサーバ２０と給湯器９間の通信不良や、給湯器開閉弁８の故障等により、給湯器９への燃料ガスの供給を停止することができなくなった場合に、ガス元弁３を閉弁して、異常が生じている給湯器９への燃料ガスの供給を遮断することができる。
【００７１】
そして、給湯器９の点検・修理の完了後、使用者がホームサーバ２０に対して異常復旧操作を行ったときに、ＳＴＥＰ４８からＳＴＥＰ４９に進んで、ガスメータ２に対して「ガス元弁開弁信号」を送信する。該「ガス元弁開弁信号」を受信したガスメータ２はガス元弁３を開弁し、これにより、ガス供給管１への燃料ガスの供給が再開され、各ガス機器（こんろ５，ファンヒータ７，給湯器９，床暖房機１１）の運転が可能になる。
【００７２】
ホームサーバ２０は、給湯器９と同様に、こんろ５，ファンヒータ７，及び床暖房機１１に対しても図５に示した処理を行い、これにより各ガス機器において生じ得るガス流量調節手段の故障による異常を検知して、該異常が検知されたガス機器への燃料ガスの供給を停止する処理を行う。
【００７３】
なお、本実施の形態では、図５のＳＴＥＰ４６〜ＳＴＥＰ４９で、各ガス機器（こんろ５，ファンヒータ７，給湯器９，床暖房機１１）への燃料ガスの停止が確認できなかったときに、ガス元弁３を閉弁する処理を行ったが、該処理を行わない場合であっても、本発明の効果を得ることができる。
【００７４】
また、上述した第１〜第３の実施の形態では、個別ガス流量把握手段２３により、機器作動状態把握手段２２により把握される各ガス機器の作動状態の変化とそれに応じて変動するガスメータ２による燃料ガスの供給流量の検出値とから、各ガス機器への燃料ガス供給流量を把握したが、各ガス機器に燃料ガスの供給流量を検出するガスメータを個別に設け、各ガスメータにより各ガス機器に供給される燃料ガスの供給流量を直接検出するようにしてもよい。
【００７５】
また、異常検知手段２５によりガス機器の異常が検知されたときに、ネットワーク４０を介してガス会社やガス機器メーカの端末装置４５に該異常の情報データを送信するようにしてもよい。
【図面の簡単な説明】
【図１】本発明のガス機器の異常検知システムの全体構成図。
【図２】第１の実施の形態における燃料ガスの供給流量の異常検知に使用する所定流量の設定態様を示したグラフ。
【図３】第１の実施の形態における異常検知処理のフローチャート。
【図４】第２の実施の形態における異常検知処理のフローチャート。
【図５】第３の実施の形態における異常検知処理のフローチャート。
【図６】従来のガス供給システムの構成図。
【符号の説明】
１…ガス供給管、２…ガスメータ、３…ガス元弁、４…こんろ開閉弁、５…こんろ、６…ファンヒータ開閉弁、７…ファンヒータ、８…給湯器開閉弁、９…給湯器、１０…床暖房機開閉弁、１１…床暖房機、２０…ホームサーバ、２２…機器作動状態把握手段、２３…個別ガス流量把握手段、２４…個別ガス設定値受信手段、２５…異常検知手段、２６…ガス開閉弁閉弁手段、２７…ガス元弁閉弁手段
【図１】
2004278914.tif 000003
【図２】
2004278914.tif 000004
【図３】
2004278914.tif 000005
【図４】
2004278914.tif 000006
【図５】
2004278914.tif 000007
【図６】
2004278914.tif 000008